(57)【要約】【課題】枠体の上面を傾斜させることなく床板に排水勾配を付けることができる防水床構築用枠体及び該防水床構築用枠体を用いた衛生設備室の防水床を提供する。【解決手段】防水床構築用枠体１の外枠１０は第１〜４の外枠部材１１〜１４よりなり、これらの起立部１１ａ〜１４ａに支承材３１〜３４が取り付けられている。支承材３１〜３４は起立部３１ａ〜３４ａと床板載置部３１ｂ〜３４ｂとからなる。支承材３１〜３４は、床板載置部３１ｂ〜３４ｂによって形成される床板載置面が支承材３２，３３の交叉部から支承材３４，３１の交叉部に向って下り勾配となるように固定されている。該床板載置部３２ｂ，３４ｂに架材２１ａ，２１ｂが架け渡されている。該架材２１ａ，２１ｂの両端上部の段部２１ｄに床板載置部３２ｂ，３４ｂが当接され、該床板載置部３２ｂ，３４ｂの上面と架材２１ａ，２１ｂの上面とが面一となっている。【選択図】図１
2007308933.tif 000002
【特許請求の範囲】
【請求項１】
衛生設備室の排水勾配付きの床を構築するための防水床構築用枠体であって、
該衛生設備室の床の外周囲に沿って配置される外枠と、
該外枠の内周面に取り付けられ、該外枠の長手方向に延在している、床板支承用の支承材とを有し、
床板が載置される該支承材の上面は、前記排水勾配に従って、外枠長手方向において傾斜していることを特徴とする防水床構築用枠体。
【請求項２】
請求項１において、該外枠は、その上面が水平に設置されるものであることを特徴とする防水床構築用枠体。
【請求項３】
請求項１又は２において、該防水床構築用枠体の横断方向に延在した架材が設けられており、
該架材は、その上面が該支承材の上面と面一となっていることを特徴とする防水床構築用枠体。
【請求項４】
請求項１ないし３のいずれか１項の防水床構築用枠体の該支承材に床板が載置され、該床板の上面に防水塗膜が塗着されてなる衛生設備室の防水床。
【請求項５】
請求項４において、前記防水床構築用枠体は請求項３に記載の防水床構築用枠体であり、
前記床の水下部分に排水口部材が設置されており、
該排水口部材は、外周にフランジ部を有し、該フランジ部が前記支承材及び架材に載置されており、
該フランジ部の上面が周囲の前記床板と面一か又はそれよりも低位となっていることを特徴とする衛生設備室の防水床。
【請求項６】
請求項５において、該フランジ部の外周縁に垂下片が設けられており、該垂下片が前記支承材及び架材の上面に当接していることを特徴とする衛生設備室の防水床。
【発明の詳細な説明】
【技術分野】
【０００１】
本発明は衛生設備室の排水勾配付きの防水床及び該防水床を構築するための防水床構築用枠体に関する。
【背景技術】
【０００２】
水捌けをよくするために、浴室、シャワールーム、バストイレルームなどの衛生設備室の床に排水勾配を付けることが行われている。
【０００３】
特開平１０−１８３９５１号公報には、枠体と、該枠体に取り付けられた複数本の支持脚とからなる支持フレームを浴室内に配置し、各支持脚の長さを調節することにより枠体の上面を傾斜させ、該上面に床板を載置してなる排水勾配付きの床構造が記載されている。
【特許文献１】特開平１０−１８３９５１号公報
【発明の開示】
【発明が解決しようとする課題】
【０００４】
上記特開平１０−１８３９５１号公報の床構造にあっては、支持フレーム自体が傾斜している。このため、該支持フレーム上に壁パネルを立設する場合、壁パネルが傾斜するという不都合が生じる。
【０００５】
本発明は、枠体の上面を傾斜させることなく床板に排水勾配を付けることができる防水床構築用枠体及び該防水床構築用枠体を用いた衛生設備室の防水床を提供することを目的とする。
【課題を解決するための手段】
【０００６】
請求項１の防水床構築用枠体は、衛生設備室の排水勾配付きの床を構築するための防水床構築用枠体であって、該衛生設備室の床の外周囲に沿って配置される外枠と、該外枠の内周面に取り付けられ、該外枠の長手方向に延在している、床板支承用の支承材とを有し、床板が載置される該支承材の上面は、前記排水勾配に従って、外枠長手方向において傾斜していることを特徴とするものである。
【０００７】
請求項２の防水床構築用枠体は、請求項１において、該外枠は、その上面が水平に設置されるものであることを特徴とするものである。
【０００８】
請求項３の防水床構築用枠体は、請求項１又は２において、該防水床構築用枠体の横断方向に延在した架材が設けられており、該架材は、その上面が該支承材の上面と面一となっていることを特徴とするものである。
【０００９】
請求項４の衛生設備室の防水床は、請求項１ないし３のいずれか１項の防水床構築用枠体の該支承材に床板が載置され、該床板の上面に防水塗膜が塗着されてなるものである。
【００１０】
請求項５の衛生設備室の防水床は、請求項４において、前記防水床構築用枠体は請求項３に記載の防水床構築用枠体であり、前記床の水下部分に排水口部材が設置されており、該排水口部材は、外周にフランジ部を有し、該フランジ部が前記支承材及び架材に載置されており、該フランジ部の上面が周囲の前記床板と面一か又はそれよりも低位となっていることを特徴とするものである。
【００１１】
請求項６の衛生設備室の防水床は、請求項５において、該フランジ部の外周縁に垂下片が設けられており、該垂下片が前記支承材及び架材の上面に当接していることを特徴とするものである。
【発明の効果】
【００１２】
本発明の防水床構築用枠体は、衛生設備室の床の外周囲に沿って配置される外枠と、該外枠の内周面に取り付けられ、該外枠の長手方向に延在している、床板支承用の支承材とを有し、床板が載置される該支承材の上面は、外枠長手方向において排水勾配に従って傾斜している。このように、該支承材の上面を外枠長手方向において排水勾配に従って傾斜させることにより、床板に排水勾配を付けることができる。
【００１３】
該支承材が長手方向と直交する断面形状がＬ字形である場合、パイプ型のようなものに比べて製造が容易であり、かつ該支承材を外枠に容易に取り付けることができる。
【００１４】
該外枠の上面が水平に設置される場合、該外枠の上面に壁パネルを鉛直に立設させることが容易である。
【００１５】
該防水床構築用枠体の横断方向に延在した架材が設けられている場合、該防水床構築用枠体の強度が高くなる。また、該架材の上面が該支承材の上面と面一となっている場合、架材の上面と支承材の上面とによって床板が支持されるため、床板上に大きな荷重が加わっても床板が破損することが防止される。
【００１６】
本発明の衛生設備室の防水床は、上記防水床構築用枠体の該支承材に床板が載置され、該床板の上面に防水塗膜が塗着されてなるものである。このように、本発明では防水床が床板よりなるため、防水パンよりなる場合と比べて防水床の製造コストが低く、また製造が容易である。即ち、防水パンはＳＭＣプレス、インジェクション、ハンドレイアップなどの成型方式で作製されるため、成形型が必須であり、型の製作費用がかかると共に製作に時間がかかる。一方、本発明では必要な衛生設備室の大きさにあわせて裁断した床板、外枠、支承材、架材が用いられているため、製造コストが低く、製造が容易である。
【００１７】
該衛生設備室の防水床において、床の水下部分に排水口部材が設置されており、該排水口部材は、外周にフランジ部を有し、該フランジ部が前記支承材及び架材に載置されており、該フランジ部の上面が周囲の前記床板と面一か又はそれよりも低位となっていることが好ましい。この場合、床板から排水口部材に水がスムーズに排水される。
【００１８】
この排水口部材には、床排水トラップが設置される。この床排水トラップは取付部が丸形であることが一般的であり、従って、該排水口部材は成形型による成形物であることが好ましい。該排水口部材の材質としては、耐温水性、耐薬性、強度などに優れた樹脂材料が好ましい。床排水トラップの取付部形状は規格化されており、規格化された床排水トラップを使用する限りにおいては、衛生設備室の大きさにかかわりなく同じ型で成形されたものが使用可能である。また、床全体の型に比べて排水口付近だけの小面積の型となるため、型製作費用は非常に安価なものとなる。
【００１９】
該フランジ部の外周縁に垂下片が設けられており、該垂下片が前記支承材及び架材の上面に当接していることが好ましい。この場合、床板の厚さに応じて垂下片の高さを調整することにより、容易に該排水口部材のフランジ部の上面を床板と面一か又はそれよりも低位とすることができる。
【発明を実施するための最良の形態】
【００２０】
以下、第１〜１４図を参照して本発明の実施の形態を詳細に説明する。
【００２１】
第１図は実施の形態に係る防水床構築用枠体の模式的な斜視図、第２図は第１図の平面図、第３図は第２図のIII−III線に沿う断面図、第４図は第２図のIV−IV線に沿う断面図、第５図〜第１１図は第１図の構成部材を説明する部分的な斜視図、第１２図は第２図のXII部分の斜視図、第１３図（ａ），（ｂ）は第１２図の排水口部材のXIIIａ−XIIIａ線、XIIIｂ−XIIIｂ線に沿う断面図、第１４図は第１図の防水床構築用枠体を用いて構築された衛生設備室の防水床の平面図である。
【００２２】
本実施の形態に係る防水床構築用枠体は、浴室内に設置されている。第２，１２図の通り、浴室は柱５０及び間柱５１によって囲まれており、該柱５０及び間柱５１の前面（浴室内側の面）に壁下地板５２が釘等によって取り付けられている。該壁下地板５２の前面に、きわ根太５３が、その上面が水平になるようにして取り付けられている。該きわ根太５３の上面に防水床構築用枠体１が載置されている。
【００２３】
後述の通り、該防水床構築用枠体１は、外枠１０と、支承材３１〜３４と、Ｌアングル４１〜４４と、架材２１ａ，２１ｂ，２２ａ〜２２ｊとからなる。
【００２４】
外枠１０は、第１〜４の外枠部材１１〜１４よりなっており、これら第１〜４の外枠部材１１〜１４によって外枠１０の４辺が構成されている。該外枠１０は、上記きわ根太５３上に載置され、固定されている。なお、本実施の形態では、該外枠１０を上下方向に貫通するビス挿通孔を通してきわ根太５３にビスが螺じ込まれ、外枠１０がきわ根太５３に固定されている。
【００２５】
該第１〜４の外枠部材１１〜１４同士は、好ましくは溶接等によって連結されている。これら第１〜４の外枠部材１１〜１４及び支承材３１〜３４の形状は第５図〜第８図に示す通りである。
【００２６】
即ち、第５図（ａ）、（ｂ）の通り、第１の外枠部材１１は、垂直方向に起立する起立部１１ａと、該起立部１１ａの上端から外枠１０の外方に張り出す張出部１１ｂと、該張出部１１ｂの外端から起立する水返し部１１ｃと、該起立部１１ａの下端から外枠１０の外方に張り出す下端部１１ｄとを有している。さらに、該第１の外枠部材１１にあっては、後述する洗い場床７１と浴槽床７２（第１４図参照）とを区画するための区画部１１ｅが、水返し部１１ｃの上端に連なっている。該区画部１１ｅは、水返し部１１ｃの上端から外方に張り出す張出部と、該張出部から垂下する垂下部と、該垂下部から外方に張り出す張出部とからなる。該張出部１１ｂの一端に、該張出部１１ｂよりも一段低い段部１１ｆが連なっている。
【００２７】
第６〜８図の通り、第２〜４の外枠部材１３は、垂直方向に起立する起立部１２ａ〜１４ａと、該起立部１２ａ〜１４ａの上端から外枠１０の外方に張り出す張出部１２ｂ〜１４ｂと、該張出部１２ｂ〜１４ｂの外端から起立する水返し部１２ｃ〜１４ｃと、該起立部１２ａ〜１４ａの下端から外枠１０の外方に張り出す下端部１２ｄ〜１４ｄとを有している。
【００２８】
第２，４の外枠部材１２，１４にあっては、水返し部１２ｃ，１４ｃの両端から外枠部材１２，１４の長手方向に突出部１２ｔ，１４ｔが延出している。該突出部１２ｔ、１４ｔの長さは、第１，４の外枠部材１１，１４における張出部１１ｂ、１４ｂの幅（短手方向長さ）と同一となっている。なお、該外枠部材１１〜１４を組み合わせた状態において、第１，３の外枠部材１１，１３の長手方向における両端が、該突出部１２ｔ，１４ｔによって覆われる。
【００２９】
また、第４の外枠部材１４にあっては、該張出部１４ｂの一端に、該張出部１４ｂよりも一段低い段部１４ｆが連なっている。
【００３０】
支承材３１〜３４は、起立部３１ａ〜３４ａと、該起立部３１ａ〜３４ａの上端から外枠１０の内側に張り出す床板載置部３１ｂ〜３４ｂとからなっている。該支承材３１〜３４の起立部３１ａ〜３４ａが該第１〜４の外枠部材１１〜１４の起立部１１ａ〜１４ａに当接され、溶接等によって固定されている。
【００３１】
該支承材３１〜３４は、これら床板載置部３１ｂ〜３４ｂによって形成される床板載置面が、支承材３２，３３の交叉部から支承材３４，３１の交叉部に向って下り勾配となるように固定されている（第１，３，４図参照）。
【００３２】
外枠１０の長手方向に架材２１ａ，２１ｂが延在しており、その両端が支承材３２，３４に溶接等によって固定されている。なお、第９図の通り、該架材２１ａ，２１ｂの両端の上部は、切欠状の段部２１ｄとなっており、この段部２１ｄの上に支承材３２，３４の床板載置部３２ｂ，３４ｂの下面が当接されている。該段部２１ｄの段差はこれら床板載置部３２ｂ，３４ｂの厚さと同一となっている。このため、該床板載置部３２ｂ，３４ｂの上面と架材２１ａ，１２ｂの上面とは面一となっている。
【００３３】
該架材２１ａと支承材３３との間に、外枠１０の短手方向に延在する架材２２ａ〜２２ｃが架け渡され、溶接等によって固定されている。なお、図示は省略するが、該架材２２ａ〜２２ｃの端部の上面にも切欠状の段部が設けられており、該段部に支承材３３の床板載置部３３ｂが当接されて固定されている。該段部の段差は該床板載置部３３ｂの厚さと同一となっており、該床板載置部３３ｂの上面と架材２２ａ〜２２ｃの上面とは面一となっている。また、該架材２２ａ〜２２ｃと架材２１ａとは、これらの上面が面一となるように固定されている。
【００３４】
同様に、該架材２１ｂと支承材３１との間に架材２２ｆ〜２２ｉが架け渡され、溶接等によって固定されている。なお、図示は省略するが、該架材２２ｆ〜２２ｉの端部の上面にも切欠状の段部が設けられており、該段部に支承材３１の床板載置部３１ｂが当接されて固定されている。該段部の段差は該床板載置部３１ｂの厚さと同一となっており、該床板載置部３１ｂの上面と架材２２ｆ〜２２ｉの上面とは面一となっている。また、該架材２２ｆ〜２２ｉと架材２１ｂとは、これらの上面が面一となるように固定されている。
【００３５】
該架材２１ａと架材２１ｂとの間に、架材２２ｄ，２２ｅが架け渡され、これら架材２１ａ，２１ｂ，２２ｄ，２２ｅの上面が面一となるようにして、溶接等によって固定されている。これら架材２１ｂ，２２ｅ，２１ａ，２２ｄよりなる内枠の内周面にＬアングル４１〜４４が溶接等によって固定されている。該Ｌアングル４１〜４４は、架材に固定される起立部４１ａ〜４４ａと、該起立部４１ａ〜４４ａの上端に連なる点検蓋載置部４１ｂ〜４４ｂとからなるＬ字形断面形状のものである。
【００３６】
なお、これら点検蓋載置部４１ｂ〜４４ｂの上面は該架材２１ｂ，２２ｅ，２１ａ，２２ｄの上面と平行かつこれら上面よりも低位となるように固定されている。該Ｌアングル４１，４３の間に架材２２ｊが架け渡されている。該架材２２ｊの両端の上部にも段部が設けられている。該段部の段差は該Ｌアングル４１，４３の点検蓋載置部４１ｂ，４３ｂの厚さと同一であり、該架材２２ｊの上面と点検蓋載置部４１ｂ，４３ｂの上面とは面一となっている。
【００３７】
このように、支承材３１〜３４、架材２１ａ，２１ｂ及び架材２２ａ〜２ｉの上面は面一となり、これら上面により床板載置面が形成されている。また、Ｌアングル４１〜４４及び架材２２ｊの上面は面一となり、これら上面により、後述する点検蓋を載置するための点検蓋載置面が形成されている。これら床板載置面と点検蓋載置面とは平行となっており、該点検蓋載置面は床板載置面よりも低位となっている。
【００３８】
次に、第１２図を用いて、防水床建築用枠体１のうち後述する排水口部材が設置される隅部の構成を説明する。第１２図の通り、第１の外枠部材１１のうち段部１１ｆがある側の端部と、第４の外枠部材１４のうち段部１４ｆがある側の端部とが当接されている。支承材３１は、張出部１１ｂと段部１１ｆとの境界よりも若干段部１１ｆ側まで延在している。また、支承材３４は、張出部１４ｂと段部１４ｆとの境界よりも若干段部１４ｆ側まで延在している。これら架材２１ｂ，２２ｆの上面、段部１１ｆ，１４ｆの上面及び支承材３１，３４の上面は略面一となっている。
【００３９】
次に、このように構成された防水床建築用枠体を用いた衛生設備室の防水床を第１２図〜１４図を用いて説明する。
【００４０】
第１４図の通り、上記防水床建築用枠体１の上に床板７１ａ〜７１ｄが載置されている。ここで、該床板７１ａ〜７１ｄは、上記支承材３１〜３４の上面、架材２１ａ，２１ｂの上面及び架材２ａ〜２２ｉの上面に載置され、固定されている。
【００４１】
また、第１２図の通り、段部１１ｆ，１４ｆ及び架材２１ｂ，２１ｆの上に排水口部材６０が載置されている。
【００４２】
該排水口部材６０は、第１２，１３図の通り、本体部６１と、該本体部６１の上端から張り出すフランジ部６２とからなっている。該本体部６１は、方形の底部６１ａと、該底部６１ａの４辺から起立する枠部６１ｂとを有する。該枠部６１ｂは上半部が下半部より大口径となっており、これらの境界が段部６１ｃとなっている。該底部６１ａに排水口６１ｄが設けられている。
【００４３】
該フランジ部６２の外周縁に垂下片６２ａが設けられている。該垂下片６２ａの長さは、防水床建築用枠体１上に床板７１ａ〜７１ｄ及び該排水口部材６０を載置したときに、該排水口部材６０の上面が床板７１ａ〜７１ｄの上面と面一か又はそれよりも低位となるように調整されている。
【００４４】
かかる床板７１ａ〜７１ｄ、排水口部材６０及び防水床建築用枠体１との境界がシール部材によってシールされ、該床板７１ａ〜７１ｄの上面に防水塗膜が塗着されている。
【００４５】
Ｌアングル４１〜４４の上に点検蓋７２が載置されている。該点検蓋７２は床板７１ａ〜７１ｄよりも厚い板よりなっており、該点検蓋７２を設置した状態において、防水床は面一となっている。
【００４６】
このようにして、浴室内に洗い場床７３が設置されている。また、該洗い場床７３の隣に浴槽設置部床７４が設置されている。該浴槽設置部床７４も洗い場床７３と同様、防水床建築用枠体の上に床板を複数枚載置し、その上面に防水塗膜が塗着されてなるものである。これら洗い場床７３及び浴槽設置部床７４によって防水床７０が構成されている。
【００４７】
上記実施の形態は本発明の一例であり、本発明は上記実施の形態に限定されない。例えば、上記実施の形態では支承材３１〜３４、架材２１ａ，２ｂ及び架材２２ａ〜２２ｉよりなる床板載置面を外枠の位置の隅部に向う下り勾配とし、該隅部に排水口部材を設けたが、外枠の一辺に向う下り勾配とし、該辺に排水口部材を設けてもよい。
【００４８】
上記実施の形態では、防水床建築用枠体がきわ根太に設置されているが、防水床建築用枠体に脚部を設け、該脚部付き防水床建築用枠体を土台又は基礎の上に載置してもよい。
【図面の簡単な説明】
【００４９】
【図１】実施の形態に係る防水床構築用枠体の模式的な斜視図である。
【図２】第１図の平面図、第３図は第２図のIII−III線に沿う断面図である。
【図３】第２図のIII−III線に沿う断面図、第４図は第２図のIV−IV線に沿う断面図である。
【図４】第２図のIV−IV線に沿う断面図である。
【図５】第１図の第１の外枠部材及び支承材の構成部材を説明する部分的な斜視図である。
【図６】第１図の第２の外枠部材及び支承材の構成部材を説明する部分的な斜視図である。
【図７】第１図の第３の外枠部材及び支承材の構成部材を説明する部分的な斜視図である。
【図８】第１図の第４の外枠部材及び支承材の構成部材を説明する部分的な斜視図である。
【図９】第１図の架材と支承材との部分的な分解斜視図である。
【図１０】第１図の架材同士の接合状態を説明する部分的な斜視図である。
【図１１】第１図の架材とＬアングルとの接合状態を説明する部分的な斜視図である。
【図１２】第２図のXII部分の斜視図である。
【図１３】第１２図の排水口部材の断面図である。
【図１４】第１図の防水床構築用枠体を用いて構築された衛生設備室の防水床の平面図である。
【符号の説明】
【００５０】
１  防水床建築用枠体
１０  外枠
１１  第１の外枠部材
１２  第２の外枠部材
１３  第３の外枠部材
１４  第４の外枠部材
１１ａ，１２ａ，１３ａ，１４ａ  起立部
１１ｂ，１２ｂ，１３ｂ，１４ｂ  張出部
１１ｃ，１２ｃ，１３ｃ，１４ｃ  水返し部
１１ｆ、１４ｆ  段部
２１ａ，２１ｂ  架材
２２ａ〜２２ｊ  架材
３１〜３４  支承材
４１〜４４  Ｌアングル
６０  排水口部材
６２ａ  垂下片
７１ａ〜７１ｄ  床板
７２  点検蓋
【図１】
2007308933.tif 000003
【図２】
2007308933.tif 000004
【図３】
2007308933.tif 000005
【図４】
2007308933.tif 000006
【図５】
2007308933.tif 000007
【図６】
2007308933.tif 000008
【図７】
2007308933.tif 000009
【図８】
2007308933.tif 000010
【図９】
2007308933.tif 000011
【図１０】
2007308933.tif 000012
【図１１】
2007308933.tif 000013
【図１２】
2007308933.tif 000014
【図１３】
2007308933.tif 000015
【図１４】
2007308933.tif 000016